(57)【要約】      （修正有）【課題】電源プラグによる外装ケース内の占有スペースを狭くしながら絶縁距離を長くして、電源プラグを外装ケース内に収納する。【解決手段】外装ケース１の第１の表面３からプラグ５を突出させる第１の姿勢と、第１の表面３に直交する外装ケース１の第２の表面４からプラグ５を突出させる第２の姿勢と、第１の表面３の内側に電源プラグを収納する収納位置とで収納するように、電源プラグを外装ケース１に回転できるように収納して、電源プラグの回転ベースには、第１の姿勢で第２の表面４に向かって突出する突出部９を設けてその突出端９Ａを第２の表面４から突出する位置として、第１の姿勢における絶縁距離を延長し、収納位置においてプラグ５を第１の表面３に対して内側に傾斜する姿勢で収納する。【選択図】図７
2016152198.tif 000002
【特許請求の範囲】
【請求項１】
外装ケースに回転自在に電源プラグを出し入れ自在に連結してなる電気機器であって、
前記外装ケースは、互いに直交する第１の表面と第２の表面とを有する箱形で、
前記電源プラグは、一対のプラグが絶縁材の回転ベースに固定されて、前記回転ベースのプラグ突出面から垂直に突出しており、
さらに、前記電源プラグは、前記プラグを前記第１の表面と前記第２の表面に直交する姿勢で突出するように前記外装ケースに回転自在に連結されて、前記プラグ突出面を前記第１の表面と同一平面に配置する第１の姿勢と、前記プラグ突出面を前記第２の表面と同一平面に配置する第２の姿勢に配置でき、
前記外装ケースは、前記電源プラグを回転させて収納できる収納凹部を前記第１の表面に設けており、
前記回転ベースは、前記第１の姿勢において、前記第２の表面に向かって突出する突出部を設けて、前記突出部の突出端を前記第２の表面から突出する位置として、前記突出部でもって前記プラグ突出面の絶縁距離（Ｌ）を前記第２の表面から突出する位置に延長しており、
さらに、前記収納凹部は、前記プラグを前記第１の表面に対して内側に傾斜する姿勢で収納して、前記突出部を前記第１の表面の内側に収納する形状としてなることを特徴とする電気機器。
【請求項２】
請求項１に記載される電気機器であって、
前記電源プラグを前記第１の姿勢と前記第２の姿勢とに係止する第１の係止構造と、
前記電源プラグを前記収納凹部に収納する収納位置に係止する第２の係止構造とを備えることを特徴とする電気機器。
【請求項３】
請求項２に記載される電気機器であって、
前記第２の係止構造が、前記プラグを前記第１の表面と平行姿勢とする位置において、前記プラグを前記収納位置に向かって付勢することを特徴とする電気機器。
【請求項４】
請求項１ないし３のいずれかに記載される電気機器であって、
当該電気機器がＡＣアダプタ、二次電池を内蔵するブースター、充電器の何れかであることを特徴とする電気機器。
【請求項５】
請求項１ないし４のいずれかに記載される電気機器であって、
前記外装ケースが、前記第１の表面と前記第２の表面とのコーナー部を所定の曲率半径の面取り面としており、
前記突出部が、前記突出端の曲率半径を前記面取り面の曲率半径よりも小さくしてなることを特徴とする電気機器。
【請求項６】
請求項１ないし５のいずれかに記載される電気機器であって、
前記回転ベースが、前記電源プラグを収納位置に配置する状態で、前記第１の表面に露出する露出面に、指先を案内して前記回転ベースを回転させる回転凹部を設けてなることを特徴とする電気機器。
【発明の詳細な説明】
【技術分野】
【０００１】
本発明は、外装ケースに電源プラグを出し入れ自在に連結している電気機器に関する。
【背景技術】
【０００２】
外装ケースに電源プラグを出し入れ自在に設けている電気機器は開発されている。この電気機器は、電源プラグを使用しない状態では、外装ケースの収納凹部に収納して、一対のプラグを外装ケースから突出しない状態とする。電源プラグを使用するときは、電源プラグを回転させて、プラグを外装ケースの表面に直交する姿勢で突出させる。外装ケースから直交して突出するプラグは、電源コンセントに挿入されて、電気機器を商用電源に接続する。
【０００３】
さらに、電源プラグを出し入れ自在に連結している電気機器は、プラグを１８０度回転できるように外装ケースに連結して、外装ケースの２面に対して垂直に突出できる構造としてより便利に使用できる（特許文献１〜４参照）。この電気機器は、たとえば、電源プラグを外装ケースに収納する位置と、第１の表面から直角に突出する位置と、第２の表面から直角に突出する位置とに回転して、２方向に突出する状態に切り換えて便利に使用できる。
【０００４】
この電気機器は、図１０に示すように、金属製のプラグ９５を電源コンセント９０に挿入する状態で、ユーザーが指をプラグ９５に接触させて感電するのを防止するために、プラグ９５と外装ケース９１表面との距離、すなわち絶縁距離（Ｌ）を所定の長さとすることが大切である。このことを実現するために、たとえばＵＬ規格では、絶縁距離（Ｌ）を５．１ｍｍ以上と規定している。
【０００５】
絶縁距離（Ｌ）は、図１０において、プラグ９５の回転中心軸９６を矢印Ａで示すように、外装ケース９１の内側に移動して大きくできる。電源プラグ９２を９０度回転して使用する電気機器は、プラグ９５を鎖線で示す位置においても使用するので、回転中心軸９６を矢印Ａで示す方向に移動すると、矢印Ｂで示す方向にも移動させる必要がある。それは、９０度回転して使用する状態で、プラグ突出面９７を外装ケース９１の表面に配置して、プラグ９５の突出長さを一定とする必要があるからである。このため、回転中心軸９６を図１０の一点鎖線で示すように、ふたつの表面に対して４５度傾斜する面に配置する必要がある。したがって、絶縁距離（Ｌ）を増加するには、回転中心軸９６を図１０の一点鎖線で示すように、矢印Ｃで示す方向に移動させる必要がある。
【０００６】
ところが、電源プラグ９２の回転中心軸９６を矢印Ｃで示す方向に移動すると、電源プラグ９２が外装ケース９１のより内部に配置されて、外装ケース９１の内部スペースを大きく占有し、外装ケース９１内に回路基板などを配置するためのスペースを狭くするので、外装ケース９１を大きくする必要がある。
【先行技術文献】
【特許文献】
【０００７】
【特許文献１】実開平６−８８１９６号公報
【特許文献２】特開２００１−２７５２６４号公報
【特許文献３】特開平９−１４８０１２号公報
【特許文献４】特開２０１１−１５０８６４号公報
【発明の概要】
【発明が解決しようとする課題】
【０００８】
本発明の第１の目的は、電源プラグの回転ベースに突出部を設けることで、電源プラグの回転中心軸を外装ケースのより表面側に接近させて、電源プラグによる外装ケース内の占有スペースを狭くしながら、所定の絶縁距離（Ｌ）を実現できる、電源プラグを出し入れ自在に連結してなる電気機器を提供することにある。
【０００９】
また、電気機器は、電源プラグの回転ベースに突出部を設けることで、回転中心軸を外装ケースの表面側に接近させて絶縁距離（Ｌ）を長くできるが、この電源プラグは、従来のようにプラグを外装ケースの表面と平行姿勢に収納すると、突出部が表面から突出する弊害がある。本発明の第２の目的は、電源プラグに絶縁距離（Ｌ）を長くする突出部を設けながら、この突出部を外装ケース内に収納して便利に使用できる、電源プラグを出し入れ自在に連結してなる電気機器を提供することにある。
【課題を解決するための手段】
【００１０】
本発明の電気機器は、外装ケース１に回転自在に電源プラグ２を出し入れ自在に連結している。外装ケース１は、互いに直交する第１の表面３と第２の表面４とを有する箱形で、電源プラグ２は、一対のプラグ５が絶縁材の回転ベース６に固定されて、この回転ベース６のプラグ突出面７から垂直に突出している。さらに、電源プラグ２は、プラグ５を第１の表面３と第２の表面４に直交する姿勢で突出するように外装ケース１に回転自在に連結されて、プラグ突出面７を第１の表面３と同一平面に配置する第１の姿勢と、プラグ突出面７を第２の表面４と同一平面に配置する第２の姿勢に配置する。外装ケース１は、電源プラグ２を回転させて収納できる収納凹部８を第１の表面３に設けている。回転ベース６は、第１の姿勢において、第２の表面４に向かって突出する突出部９を設けて、突出部９の突出端９Ａを第２の表面４から突出する位置として、突出部９でもってプラグ突出面７の絶縁距離（Ｌ）を第２の表面４から突出する位置に延長している。さらに、収納凹部８は、プラグ５を第１の表面３に対して内側に傾斜する姿勢で収納して、突出部９を第１の表面３の内側に収納する形状としている。
【００１１】
本発明の電気機器は、電源プラグ２を第１の姿勢と第２の姿勢とに係止する第１の係止構造１０と、電源プラグ２を収納凹部８に収納する収納位置に係止する第２の係止構造１１とを備えることができる。
【００１２】
本発明の電気機器は、第２の係止構造１１が、プラグ５を第１の表面３と平行姿勢とする位置において、プラグ５を収納位置に向かって付勢することができる。
【００１３】
本発明の電気機器は、ＡＣアダプタ、二次電池を内蔵するブースター、充電器の何れかとすることができる。
【００１４】
本発明の電気機器は、外装ケース１が、第１の表面３と第２の表面４とのコーナー部を所定の曲率半径の面取り面１２とし、突出部９が、突出端９Ａの曲率半径を面取り面１２の曲率半径よりも小さくすることができる。
【００１５】
本発明の電気機器は、回転ベース６が、電源プラグ２を収納位置に配置する状態で、第１の表面３に露出する露出面に、指先を案内して回転ベース６を回転させる回転凹部１３を備えることができる。
【発明の効果】
【００１６】
本発明の電気機器は、外装ケースに回転自在に電源プラグを設けながら、電源プラグの外装ケース内の占有スペースを狭くて所定の絶縁距離（Ｌ）を実現し、しかも、絶縁距離（Ｌ）を長くしている電源プラグを外装ケース内に収納して、便利に使用できる特徴がある。電源プラグの占有スペースを小さくしながら、絶縁距離（Ｌ）を長くできるのは、電源プラグの回転ベースに突出部を設けて、この突出部でもってプラグ突出面の絶縁距離（Ｌ）を拡大しているからである。さらに、絶縁距離（Ｌ）の延長された電源プラグを外装ケース内に突出させることなく、あるいは突出量を小さくして収納できるのは、収納位置における電源プラグの回転角度を大きくして、プラグを傾斜する姿勢で収納する形状の収納凹部を設けているからである。
【図面の簡単な説明】
【００１７】
【図１】本発明の一実施例にかかる電気機器の斜視図であって、電源プラグを収納位置に収納する状態を示す斜視図である。
【図２】図１に示す電気機器の電源プラグを第１の姿勢とする状態を示す斜視図である。
【図３】図１に示す電気機器の電源プラグを第２の姿勢とする状態を示す斜視図である。
【図４】図２に示す電気機器の一部拡大分解斜視図である。
【図５】図４に示す電気機器を逆側から見た一部拡大分解斜視図である。
【図６】図２に示す電気機器のＶＩ−ＶＩ線断面図である。
【図７】図１に示す電気機器のＶＩＩ−ＶＩＩ線断面図である。
【図８】図２に示す電気機器のＶＩＩＩ−ＶＩＩＩ線断面図である。
【図９】図３に示す電気機器のＩＸ−ＩＸ線断面図である。
【図１０】従来の電気機器の電源プラグを電源コンセントに挿入する状態を示す概略断面図である。
【発明を実施するための形態】
【００１８】
以下、本発明の実施例を図面に基づいて説明する。ただし、以下に示す実施例は、本発明の技術思想を具体化するための電気機器を例示するものであって、本発明は電気機器を以下の構造には特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図１〜図５に示す電源プラグ２を出し入れ自在に連結してなる電気機器は、外装ケース１に回転自在に電源プラグ２を連結している。本発明は、電気機器の用途を特定するものではないが、以下、電気機器を、二次電池内蔵のブースターとして詳述する。電気機器には、たとえば、ＡＣアダプタや充電器等の携帯機器が使用でき、さらに電源プラグを出し入れ自在に外装ケースに連結している全ての機器に使用できる。
【００２０】
外装ケース１は、プラスチック製で、互いに直交する第１の表面３と第２の表面４とを有する箱形に成形している。図１〜図３の外装ケース１は、厚さよりも横幅が大きく、さらに横幅よりも長さが大きい直方体の箱形としている。第１の表面３は外装ケース１の両面にあって、外装ケース１の長手方向と幅方向に平行な面で、第２の表面４は長手方向の両端に位置する両端面としている。
【００２１】
外装ケース１は、二次電池１４と、この二次電池１４を充電するための充電回路とを内蔵している。充電回路は、電源プラグ２を介して商用電源に接続され、商用電源から供給される電力で二次電池１４を充電する。二次電池１４は、出力コネクタ１５に接続されて、出力コネクタ１５を外装ケース１の出力窓２７から外部に露出させている。出力コネクタ１５は外部接続機器に接続されて、二次電池１４から電力を供給する。
【００２２】
外装ケース１は、第１ケース１６と第２ケース１７からなる。第１ケース１６は、第１の表面３となる外装ケース１の底プレート周囲に周壁を一体構造に設けている。第２ケース１７は、外装ケース１の表面プレートの周囲に周壁を一体構造に設けている。第１ケース１６と第２ケース１７は、周壁の対向縁を連結して、二次電池１４と充電回路を収納する閉鎖室としている。第１ケース１６の底プレートと第２ケース１７の表面プレートは外形を同じ形状として、その周囲に設けている周壁の端面を連結している。この外装ケース１は、第１ケース１６の底プレート表面を第１の表面３とし、第１ケース１６と第２ケース１７の周壁であって、両端面に位置する表面を第２の表面４としている。
【００２３】
第１ケース１６と第２ケース１７は、図４と図５に示すように、電源プラグ２を回転自在に支持する支持リブ１８を内面から直角に突出する姿勢で一体構造に設けている。支持リブ１８は、第１ケース１６と第２ケース１７とを連結する状態で、電源プラグ２の回転ベース６に設けている回転軸１９を両側から挟んで、回転自在に定位置に配置する。したがって、支持リブ１８は端縁に回転ベース６の回転軸１９を案内する半円状の軸受部１８Ａを設けている。
【００２４】
第１ケース１６は、第１の表面３に収納凹部８を設けている。収納凹部８は、両側の側壁を第１ケース１６及び第２ケース１７の支持リブ１８とし、底板を第２ケース１７の表面プレートとして、支持リブ１８と表面プレートの内側に回転ベース６を収納するスペースを設けている。さらに、第１ケース１６は、プラグ５を収納するために、２列の溝２８を成形している。収納凹部８は、電源プラグ２を、プラグ５が第１の表面３に対して傾斜する収納位置に配置する形状に成形される。
【００２５】
外装ケース１は、二次電池１４と充電回路とを実装する回路基板２０を定位置に収納する。回路基板２０は、外装ケース１内に嵌合構造で定位置に配置される。回路基板２０は、電源プラグ２のプラグ５に接続される一対の弾性接点２１を固定している。弾性接点２１は弾性変形する金属板で、上端部を対向する内側にＵ曲して、先端部をプラグ５の中心軸５Ａに弾性的に押圧して接触される構造としている。弾性接点２１は、図６に示すように、回路基板２０にハンダ付けやネジ止め等の方法で固定されて、プラグ５の中心軸５Ａに接続される位置に配置される。
【００２６】
電源プラグ２は、一対のプラグ５を絶縁材の回転ベース６に固定して、回転ベース６のプラグ突出面７から垂直に突出している。電源プラグ２は、絶縁材のプラスチックにインサート成形して定位置に固定される。図の電源プラグ２は、プラグ５を金属板とする。プラグ５は、接続される電源コンセントの形状に対応する形状とするので、電源コンセントが円柱状のプラグに接続される電気機器にあってはプラグを円柱状とし、電源コンセントが断面形状をＴ字とするプラグに接続される電気機器にあっては、プラグの断面形状をＴ字とする。
【００２７】
回転ベース６は、図２と図８に示すように、プラグ５を第１の表面３側に突出させる第１の姿勢において、第２の表面４に向かって突出する突出部９を設けている。突出部９は、電源プラグ２の回転中心軸を第１の表面３と第２の表面４に接近させながら、言い換えると、電源プラグ２による外装ケース１内の収納スペースを狭くしながら、第１の姿勢において絶縁距離（Ｌ）を延長するために設けている。突出部９は、プラグ突出面７の絶縁距離（Ｌ）を長くするために、第１の姿勢において、第２の表面４に向かって突出して、突出端９Ａを第２の表面４から突出させる位置として、プラグ突出面７の絶縁距離（Ｌ）を第２の表面４から突出する位置まで拡大している。
【００２８】
突出部９は、図８に示すように、突出端９Ａの曲率半径を、外装ケース１の曲率半径よりも小さくしている。このことは、回転ベース６の絶縁距離（Ｌ）を長くすることに有効である。絶縁距離（Ｌ）が、プラグ突出面７の平面部の横幅（Ｗ）で特定されるからである。外装ケース１は、図８に示すように、第１の表面３と第２の表面４とのコーナー部を所定の曲率半径の面取り面１２としている。突出部９の突出端９Ａの曲率半径は、面取り面１２の曲率半径よりも小さくして実質的な絶縁距離（Ｌ）を長くしている。
【００２９】
さらに、回転ベース６は、図１と図７に示すように、電源プラグ２を収納位置に配置する状態で、第１の表面３に露出する露出面に、指先を案内して回転ベース６を回転させる回転凹部１３を設けている。この電源プラグ２は、収納位置にある電源プラグ２を簡単かつ容易に、しかも速やかに第１の姿勢に回転できる特徴がある。
【００３０】
電源プラグ２は、第１の表面３の内側に収納する収納位置と、プラグ５を第１の表面３に直交する姿勢で突出させる位置と、プラグ５を第２の表面４に直交する姿勢で突出させる位置とに配置できるように外装ケース１に回転自在に連結される。図１は、電源プラグ２を第１の表面３内に収納する収納位置を示し、図２は、電源プラグ２のプラグ５を第１の表面３に対して垂直に突出させる姿勢であって、プラグ突出面７を第１の表面３と同一平面に配置する第１の姿勢を示し、図３は、電源プラグ２のプラグ５を第２の表面４に対して垂直に突出させる姿勢であって、プラグ突出面７を第２の表面４と同一平面に配置する第２の姿勢を示している。さらに、図７は収納位置にある電源プラグ２を示し、図８は第１の姿勢にある電源プラグ２を示し、図９は第２の姿勢にある電源プラグ２を示す断面図である。
【００３１】
電源プラグ２は、第２の姿勢を０（度）としたとき、プラグ５を９０（度）、１８０＋α（度）の角度に回転させて、図１〜図３、及び図７〜図９に示すように、第２の姿勢と、第１の姿勢と、収納位置とに配置される。角度αは、図７に示す収納位置において、プラグ５が第１の表面３に対して傾斜する角度で、例えば５度以上であって１５度以下、好ましくは５度以上であって１０度以下、最適には約８度である。角度αは、後に記述する電源プラグ２の回転ベース６に設けている突出部９を第１の表面３の内側に配置するための角度である。
【００３２】
外装ケース１と電源プラグ２は、電源プラグ２を図２と図８に示す第１の姿勢と、図３と図９に示す第２の姿勢に係止する第１の係止構造１０と、電源プラグ２を図１と図７に示す収納位置に係止する第２の係止構造１１とを備える。
【００３３】
第１の係止構造１０は、電源プラグ２の回転ベース６に設けた回転軸１９に設けたカム２２と、カム２２を内側に配置する弾性枠２３とで構成している。回転ベース６は、両端面に円柱状の回転軸１９を設けて、この回転軸１９の外側に四角形のカム２２を設けている。回転軸１９とカム２２は同心軸に配置されて、プラスチック製の回転ベース６に一体構造に設けられる。回転軸１９は、外装ケース１に設けた支持リブ１８の軸受部１８Ａに配置されて、電源プラグ２を外装ケース１に回転自在に連結している。
【００３４】
弾性枠２３は、弾性変形する一対の縦枠の上下を横枠で連結する四角形の枠型で、弾性変形するプラスチックで一体的に成形している。縦枠は、対向する内面に、四角形のカム２２の角部を案内する係止凹部２４を設けている。弾性枠２３は、図４と図５の分解斜視図に示すように、支持リブ１８の外側に嵌合構造で定位置に配置される。いいかえると、外装ケース１は、第１ケース１６と第２ケース１７とを連結して、弾性枠２３を定位置に配置する嵌着凹部を設けている。弾性枠２３は、縦枠を弾性変形させて、四角形のカム２２を内側で回転させる。カム２２は、電源プラグ２が図８に示す第１の姿勢と、図９に示す第２の姿勢に回転される状態で、角部を係止凹部２４に案内して、電源プラグ２を第１の姿勢と第２の姿勢とに係止する。
【００３５】
第２の係止構造１１は、電源プラグ２を図１と図７に示す収納位置に係止する。第２の係止構造１１は、回転ベース６の端面に設けている係止凸部２５と、外装ケース１の支持リブ１８に設けている位置決め凸部２６とで構成される。位置決め凸部２６は、図４と図５の一部拡大図に示すように、支持リブ１８の表面であって、収納凹部８の内面に突出して設けている。位置決め凸部２６は、電源プラグ２が収納位置から第１の姿勢に向かう引き出し方向の回転を阻止して、電源プラグ２を収納位置に係止する。電源プラグ２が第１の姿勢から収納位置に向かって収納方向に回転される状態で、係止凸部２５は位置決め凸部２６を越えて移動する。このとき、支持リブ１８が弾性変形して、係止凸部２５が位置決め凸部２６を越えるように移動させる。係止凸部２５が位置決め凸部２６を越えて移動する電源プラグ２は、収納凹部８で収納位置に配置される。収納凹部８は、電源プラグ２を収納位置に配置する内形としている。図７の収納凹部８は、電源プラグ２を収納位置に収納する状態で、突出端９Ａを第１の表面３と同一平面とする。したがって、本明細書において、「突出部９を第１の表面３の内側に収納する」とは、電源プラグ２を収納位置に収納する状態で、突出端９Ａを第１の表面３と同一平面とし、あるいは第１の表面３よりも内側に配置する状態を含む意味で使用する。なお、電気機器は、電源プラグ２を収納位置に配置して、突出端９Ａが第１の表面３から僅かに、たとえば１ｍｍ以下に突出する状態で、突出端９Ａが突出して使用上の弊害となることはない。したがって、本明細書において、突出端９Ａが第１の表面３と同一平面にあるとは、突出端９Ａが第１の表面３から突出する量を１ｍｍ以下、好ましくは０．８ｍｍ以下、さらに好ましくは０．５ｍｍ以下、最適には０．１ｍｍ以下として、突出端９Ａが第１の表面３と実質的に同一平面にある状態を含む意味に使用する。
【００３６】
外装ケース１は、支持リブ１８の表面であって回転ベース６の端面との対向面に位置決め凸部２６を設けているので、係止凸部２５が位置決め凸部２６を越えて移動するとき、支持リブ１８が弾性変形して、電源プラグ２を収納位置に移動させる。電源プラグ２が収納位置に移動すると、係止凸部２５が位置決め凸部２６に当たって、回転ベース６の逆回転、すなわち電源プラグ２が収納位置から引き出されるのを係止する。第２の係止構造１１は、簡単な構造で電源プラグ２を収納位置に係止できる。ただ、第２の係止構造１１は、電源プラグ２を収納位置に係止できる全ての構造とすることができる。
【００３７】
外装ケース１は、収納位置の電源プラグ２を第１の表面３の内側に収納するが、この状態でプラグ５は第１の表面３に対して傾斜している。第１の係止構造１０は、プラグ５を収納凹部８に案内する状態で、第１の表面３と平行な姿勢で係止するが、電源プラグ２をこの姿勢で収納凹部８に配置する必要はない。第２の係止構造１１は、第１の係止構造１０によって、プラグ５を第１の表面３と平行姿勢で収納する状態で、電源プラグ２を収納位置に向かう方向に付勢する。この構造は、収納凹部８に案内された電源プラグ２を収納位置に向かってスムーズに案内できる。このことを実現するために、第２の係止構造１１は、プラグ５が第１の表面３と平行姿勢で収納凹部８に案内される状態で、係止凸部２５を位置決め凸部２６の傾斜面に配置する。位置決め凸部２６の傾斜面に配置される係止凸部２５は、傾斜面を滑って移動して、回転ベース６を収納方向に回転させるように付勢する。係止凸部２５が配置される位置決め凸部２６の傾斜面は、プラグ５を第１の表面３と平行姿勢で収納凹部８に配置する状態で、係止凸部２５が位置決め凸部２６の頂上部分を越えた側の傾斜面である。位置決め凸部２６の頂上部分を越えた係止凸部２５は、傾斜面を滑って回転ベース６を回転させる方向に付勢して、電源プラグ２を収納位置に案内する。この構造は、電源プラグ２を収納位置に速やかに案内できる。
【産業上の利用可能性】
【００３８】
本発明によると、電源プラグを出し入れ自在に設けている種々の電気機器に対して、外装ケースを大きくすることなく、所定の絶縁距離を実現して好適に使用できる。
【符号の説明】
【００３９】
１…外装ケース
２…電源プラグ
３…第１の表面
４…第２の表面
５…プラグ
５Ａ…中心軸
６…回転ベース
７…プラグ突出面
８…収納凹部
９…突出部
９Ａ…突出端
１０…第１の係止構造
１１…第２の係止構造
１２…面取り面
１３…回転凹部
１４…二次電池
１５…出力コネクタ
１６…第１ケース
１７…第２ケース
１８…支持リブ
１８Ａ…軸受部
１９…回転軸
２０…回路基板
２１…弾性接点
２２…カム
２３…弾性枠
２４…係止凹部
２５…係止凸部
２６…位置決め凸部
２７…出力窓
２８…溝
９０…電源コンセント
９１…外装ケース
９２…電源プラグ
９５…プラグ
９６…回転中心軸
９７…プラグ突出面
【図１】
2016152198.tif 000003
【図２】
2016152198.tif 000004
【図３】
2016152198.tif 000005
【図４】
2016152198.tif 000006
【図５】
2016152198.tif 000007
【図６】
2016152198.tif 000008
【図７】
2016152198.tif 000009
【図８】
2016152198.tif 000010
【図９】
2016152198.tif 000011
【図１０】
2016152198.tif 000012